(57)【特許請求の範囲】
【請求項１】
太陽電池と、この太陽電池が取り付けられる少なくとも１つの取付面を有するフレームとを備えた太陽電池モジュールであって、
このフレームに向かって吹く風によって前記フレームで生じる風圧を軽減する風圧軽減部材が前記フレームの背面に隣接して配置され、
前記風圧軽減部材は、前記フレームの上端縁に連続して前記フレームの反対側に延びる上底と、この上底に連続して前記フレームの背面から離れるに従って下がり、前記フレームの底面と略同一高さまで延びて形成される傾斜面と、前記フレームの背面に沿って上下に延びる鉛直面と、前記鉛直面の下端と前記傾斜面の下端とを結ぶ下底とからなる中空台形状断面を有して構成され、
前記上底には、風が通過する際に生じる音の発生を抑制するために稲妻形に屈曲して形成された風切り音防止部材が設けられていることを特徴とする太陽電池モジュール。
【請求項２】
請求項１に記載の太陽電池モジュールにおいて、
前記フレームは、直角三角形の断面形状を有することを特徴とする太陽電池モジュール。
【請求項３】
請求項１または２に記載の太陽電池モジュールにおいて、
前記風圧軽減部材は、その内部に収納スペースが形成されていることを特徴とする太陽電池モジュール。
【請求項４】
太陽電池と、この太陽電池が取り付けられる少なくとも１つの取付面を有するフレームとを備えた太陽電池モジュールの設置構造であって、
前記太陽電池モジュールが、その太陽電池の取付面に直交する方向に沿って所定間隔で複数設置されているとともに、それらの太陽電池モジュールのうち、少なくとも一番後方に位置する太陽電池モジュールは、前記請求項１〜３のいずれかに記載の太陽電池モジュールで構成されていることを特徴とする太陽電池モジュールの設置構造。
【発明の詳細な説明】
【０００１】
【発明の属する技術分野】
本発明は、太陽電池モジュールおよび太陽電池モジュールの設置構造に関する。
【０００２】
【背景技術】
従来より、太陽電池モジュールの取付構造としては、▲１▼陸屋根や地面などの水平な被設置面上に、フレーム材を三角柱状に組んだ架台を設置し、この架台上に太陽電池を組み込んだ太陽電池パネルを載置したものや、▲２▼傾斜屋根の下地材にレールを並設し、太陽電池を組み込んだ太陽電池パネルをレールの上に屋根材として取り付けたもの（特開平７−１８０３１０号公報参照）が知られている。
【０００３】
【発明が解決しようとする課題】
しかし、▲１▼の構造では、太陽電池パネルは、南向きに傾斜しながら架台とともに設置面上に突出するので、風が直接当たる。このため、太陽電池パネルが吹き飛ばされないように、架台の剛性を高めたり、その取付強度を向上させなければならなかった。
特に、太陽電池パネルは通常南面に向かってかつ傾斜して配置されており、南風の場合には、傾斜した太陽電池パネル表面に沿って風が流れやすいため、太陽電池モジュールに加わる風圧もそれほど高くないが、北風の場合では、太陽電池モジュールの鉛直面などに風が当たるため、その風圧も大きくなり、太陽電池モジュールをこの北風時に耐えられるような剛性や取付強度にする必要があった。
従って、太陽電池モジュールの重量が増加するとともに、コストも高くなるという問題があった。
【０００４】
また、▲２▼の取付構造では、太陽電池パネルは、屋根材の一部として利用されていたので、傾斜屋根以外の被設置面での用途、例えば、陸屋根などの水平面での用途がなく、汎用性が低かった。
【０００５】
本発明の目的は、陸屋根などの水平面にも設置することができ、かつ太陽電池モジュールに加わる風圧を軽減できる太陽電池モジュールおよび太陽電池モジュールの設置構造を提供することである。
【０００６】
【課題を解決するための手段】
本発明の太陽電池モジュールは、太陽電池１２と、この太陽電池１２が取り付けられる少なくとも１つの取付面を有するフレーム１１とを備えた太陽電池モジュール１であって、このフレーム１１に向かって吹く風Ｄによって前記フレーム１１で生じる風圧を軽減する風圧軽減部材３０が前記フレーム１１の背面１１Ｂに隣接して配置され、前記風圧軽減部材３０は、前記フレーム１１の上端縁１１Ａに連続して前記フレーム１１の反対側に延びる上底３０Ａと、この上底３０Ａに連続して前記フレーム１１の背面１１Ｂから離れるに従って下がり、前記フレーム１１の底面１１Ｃと略同一高さまで延びて形成される傾斜面と、前記フレーム１１の背面１１Ｂに沿って上下に延びる鉛直面３０Ｃと、前記鉛直面３０Ｃの下端と前記傾斜面の下端とを結ぶ下底３０Ｂとからなる中空台形状断面を有して構成され、前記上底３０Ａには、風Ｄが通過する際に生じる音の発生を抑制するために稲妻形に屈曲して形成された風切り音防止部材４０が設けられていることを特徴とする。
【０００８】
フレーム１１の側面に、このような風圧軽減部材３０を設けることによって、フレーム１１の側面に対して直角をなす方向（法線方向）から風が直接当たらなくなる。すなわち、風圧軽減部材３０に沿って風が流れるようになり、太陽電池モジュール１において風が法線方向から当たって風圧が高くなる部分を少なくでき、太陽電池モジュール１に作用する風圧を軽減できる。このため、過度の風圧がフレーム１１の側面等に当たることで必要となっていた高い剛性や取付強度が軽減でき、その分の太陽電池モジュール１の重量やコストを低減できる。
しかも、太陽電池モジュール１は、太陽電池１２を傾斜配置しているため、陸屋根や地面などの水平面にも設置でき、汎用性を広げることができる。
【０００９】
また、前記風圧軽減部材３０が、上記傾斜面を有し、かつ風圧が大きくなるフレーム１１の背面１１Ｂに隣接して配置されていれば、その背面１１Ｂに当たるべき風を、前記風圧軽減部材３０の水平面に対して傾斜された上記傾斜面に沿って逃がすことができ、フレーム１１への風圧を効果的に軽減することができる。また、前記風圧軽減部材３０は、傾斜させた面を有すればよいため、製造が容易でコストも低減できる。
【００１０】
さらに、前記風圧軽減部材３０を台形状に形成すれば、風圧軽減部材３０側は傾斜した側面によって風圧軽減部材３０に当たる風を斜め上方側に逃がすことができ、太陽電池モジュール１への風圧を軽減できる。また、傾斜側面に連続する水平な上底部分を備えるため、傾斜側面に沿って斜め上方に流れた風を水平方向にスムーズに流すことができ、風の巻き込み等による音の発生なども抑えることができる。
また、前記上底３０Ａに、前記風Ｄが前記上底３０Ａを通過する際に生じる音の発生を抑制する風切り音防止部材４０が設けられ、前記風切り音防止部材４０は稲妻形に屈曲している。
フレーム１１や風圧軽減部材３０に吹きつける風Ｄは、太陽電池１２の取付面や風圧軽減部材３０の傾斜面に沿って流れ、それぞれの側縁部分に集中する。このため、不規則な流れが発生し、風切り音が発生する。そこで、風圧軽減部材３０の上底３０Ａに風切り音防止部材４０を設けることで、上底３０Ａに集中する風Ｄの流れが整えられて風切り音の発生を抑制できる。
【００１１】
また、前記フレーム１１は、直角三角形の断面形状を有していてもよい。
断面が直角三角形状のフレーム１１を用いれば、傾斜する１辺を太陽電池１２の取付面とすることで、太陽光線を太陽電池１２の正面つまり太陽電池１２に対して略直交する方向から入射させることができ、太陽電池１２での変換効率をより向上させることができる。
また、傾斜面は他の側面に比べて面積が大きいため、太陽電池１２の取付面積つまり受光面積を大きくでき、発電量をより一層高くできる。
さらに、フレーム１１の設置面積を最小限に抑えることができるため、フレーム１１に隣接して風圧軽減部材３０を配置して太陽電池モジュール１を構成した場合でも、太陽電池モジュール１の設置面積を抑えることができる。
【００１２】
さらに、前記風圧軽減部材３０は、その内部に収納スペースが形成されていることが好ましい。
【００１３】
前記風圧軽減部材３０に収納スペースが形成されていれば、太陽電池モジュール１を修理する工具や掃除用具などを収納させることができ、風圧軽減部材３０内の内部スペースを有効に活用できる。
【００２０】
また、本発明の太陽電池モジュールの設置構造は、太陽電池１２と、この太陽電池１２が取り付けられる少なくとも１つの取付面を有するフレーム１１とを備えた太陽電池モジュール１の設置構造であって、前記太陽電池モジュール１が、その太陽電池１２の取付面に直交する方向に沿って所定間隔で複数設置されているとともに、それらの太陽電池モジュール１のうち、少なくとも一番後方、つまり太陽に対して最も後方に位置する太陽電池モジュール（太陽が南側に位置する場合、最も北側に配置された太陽電池モジュール）１は、前記請求項１〜３のいずれかに記載の風圧軽減部材３０を有する太陽電池モジュールで構成されていればよい。
【００２１】
複数の太陽電池モジュール１が所定間隔で配置されている場合、各太陽電池モジュール１が他の太陽電池モジュール１に対する風よけになるため、中間に配置される太陽電池モジュール１に対する風圧は低くなる。従って、最も風当たりが強い後方に位置する太陽電池モジュール１を、前記風圧軽減部材３０を有する太陽電池モジュール１で構成すれば、他の太陽電池モジュールに前記風圧軽減部材３０を設けなくても各々の太陽電池モジュールに対する風圧を軽減できる。このため、前記風圧軽減部材３０の設置数を少なくでき、コストを低減できるとともに、一定面積における太陽電池の設置面積を増大できるため、太陽電池モジュールの設置面積に対する発電量も増大できる。
【００２２】
【発明の実施の形態】
本発明の各実施形態を、図面に基づいて説明する。
〔第１実施形態〕
図１には、第１実施形態の太陽電池モジュール１が示されている。当該太陽電池モジュール１は、建物の屋上などの略水平な被設置部３に複数並設されている。
これらの太陽電池モジュール１は、被設置部３に所定間隔で平行に配設された複数のレール４上に架け渡されて固定されている。
【００２３】
太陽電池モジュール１は、直角二等辺三角形の断面形状を有する三角柱状に形成された太陽電池ユニット１０と、フレーム１１の背面１１Ｂに接続されて太陽電池ユニット１０の後方に設けられる風圧軽減部材３０と、これら太陽電池ユニット１０と風圧軽減部材３０の両端部に取り付けられて太陽電池ユニット１０同士を直列に連結するジョイント２０とを備えている。
【００２４】
太陽電池ユニット１０は、図２にも示されるように、断面直角二等辺三角形の三角柱状に形成された中空のフレーム１１と、このフレーム１１の断面において斜辺を構成する斜面に設けられた太陽電池１２とを有して中空の筒状に形成され、隣接する一対のレール４間に架け渡されている。
【００２５】
フレーム１１は、アルミニウム等の金属によって三角筒状に形成されたものであり斜めに配置された太陽電池１２の下方に配置された面がレール４の上面に当接される底面１１Ｃとされ、太陽電池１２の裏面側に配置された面が背面１１Ｂとされている。このようなフレーム１１の斜面は開口され、その開口部分に太陽電池１２が組み込まれている。
【００２６】
太陽電池１２は、図示されていないが、ガラス基上に複数の太陽電池セルを封入したものであり、支持体として矩形平板上のガラス基板と、この基板の一方の面に並設された複数の太陽電池セルと、これらの太陽電池セルを封入する透明な充填材と、当該充填材を覆う裏面コート材を備えている。
【００２７】
このうち、太陽電池セルは、単結晶シリコン太陽電池からなるものであり、帯状の金属箔によって直列または並列に配線することにより一つの太陽電池１２内で電気的に接続されている。なお、太陽電池セルは、多結晶シリコン太陽電池やアモルファスシリコン太陽電池により構成してもよい。
【００２８】
また、図示されていないが、太陽電池ユニット１０の長手方向両端部には、それぞれ、太陽電池１２から引き出された＋極端子および−極端子の両方が設けられ、他の太陽電池ユニット１０の端子やリード線と結線できるようになっている。
【００２９】
風圧軽減部材３０は、フレーム１１と同じアルミニウムなどの金属によって中空の台形筒状に形成されている。すなわち、風圧軽減部材３０は、断面形状が、上底３０Ａが下底３０Ｂよりも寸法が短く、かつ一方の側面３０Ｃは鉛直面とされ、他方の側面３０Ｄはその表面（風が当たる面）の水平面に対する角度θが鈍角となるように傾斜された台形とされている。
【００３０】
風圧軽減部材３０は、フレーム１１とは、ボルトおよびナットなどの接続金具（図示省略）によって接続されている。また、風圧軽減部材３０とフレーム１１の高さ寸法は同一とされ、フレーム１１の斜面の上端縁１１Ａと風圧軽減部材３０の上底３０Ａとは段差無く連続するように構成されている。
さらに、後述するように、フレーム１１および風圧軽減部材３０の左右端に位置する側面がジョイント２０によって覆われることによって、フレーム１１および風圧軽減部材３０は固定用鍔部２３を介してレール４に固定されている。
【００３１】
この風圧軽減部材３０の後方の斜面３０Ｄには、把手（図示省略）付きの扉３６が蝶番３７によって、本体に接続されている。すなわち、この扉３６を開閉して開かれる風圧軽減部材３０の内部空間３５内に、太陽電池モジュール１を修理するための工具箱５０や屋上に散在した落ち葉などを片づける掃除用具などを収納することができるようにされている。
【００３２】
各太陽電池モジュール１において、フレーム１１の上縁１１Ａまたは風圧軽減部材３０の上底３０Ａには、風切り音防止部材４０が取り付けられている。
この風切り音防止部材４０は、稲妻形にジグザグに屈曲するとともに所定幅を有する平板状の部材であり、風圧軽減部材３０の上底３０Ａまたはフレーム１１の上縁１１Ａにそれぞれ設けられている。
【００３３】
ジョイント２０は、隣接する太陽電池ユニット１０の継目に被せて太陽電池ユニット１０を連結するものであり、太陽電池モジュール１の外面に沿って曲折した帯状をなしている。このジョイント２０の長手方向両端部には、固定用鍔部２３が外側に張り出して設けられ、この固定用鍔部２３は、それぞれレール４に当接されてねじなどの止着具（図示省略）により固定されている。
【００３４】
このように、ジョイント２０は、レール４間に架け渡された太陽電池ユニット１０の継目部分を覆った状態でその固定用鍔部２３をレール４に固定することで、太陽電池ユニット１０の端部をレール４に固定している。
【００３５】
レール４は、断面口字状の角型鋼管等からなり、太陽電池ユニット１０と直交する方向に延びて設けられ、ねじや釘などの止着具（図示省略）により被設置部３に固定されている。
【００３６】
このレール４の配設ピッチは、前述した太陽電池モジュール１におけるジョイント２０のピッチと同じピッチとされ、太陽電池モジュール１をレール４と直交させたときに各ジョイント２０に対応した位置にレール４が位置するようになっている。
【００３７】
また、レール４の内部空間は、太陽電池ユニット１０の配線を収納するための配線スペースとなっていて、レール４に沿って隣接する太陽電池ユニット１０同士を結線する場合、この配線スペースで配線するようになっている。
【００３８】
このように構成された第１実施形態においては、次のような手順で太陽電池モジュール１の施工を行う。
【００３９】
まず、工場で、太陽電池ユニット１０および風圧軽減部材３０の製造を行う。
この際、風圧軽減部材３０には、風切り音防止部材４０が取り付けられ、太陽電池１２には、配線も同時に接続される。そして、太陽電池ユニット１０と風圧軽減部材３０同士も接続金具によって接合された状態で施工現場に輸送される。
【００４０】
一方、施工現場では、予め被設置部３にレール４が設置される。そして、レール４は、太陽電池ユニット１０の長さに応じたピッチで配置して止着具（図示省略）によって被設置部３に固定される。この際、太陽電池ユニット１０が接合される箇所に応じて、レール４の上面に開口部が形成され、この開口部を通して配線がフレーム１１からレール４の内部に連通する。
【００４１】
次に、太陽電池ユニット１０および風圧軽減部材３０をレール４と直交する方向に配列させ、前記開口部を通して配線をレール４の内側に配置する。
【００４２】
この後、隣接する太陽電池ユニット１０同士をジョイント２０によって連結する。ジョイント２０によって覆われた二つの太陽電池ユニット１０および風圧軽減部材３０は、ジョイント２０により保持されてレール４上に固定される。
【００４３】
以下同様にして、太陽電池モジュール１の端部となる太陽電池ユニット１０および風圧軽減部材３０の端部を、ジョイント２０によってレール４に固定しながら順次配線を接続することで、被設置部３の広さに応じた数の太陽電池モジュール１を設置する。
【００４４】
そして、太陽電池モジュール１の端では、ジョイント２０の外側面にキャップ２６をはめ込み、この状態でジョイント２０をレール４に固定する。
【００４５】
このように、太陽電池ユニット１０および風圧軽減部材３０を連結しながらレール４に取り付けることにより本実施形態の太陽電池モジュール１が完成する。
【００４６】
この太陽電池モジュール１は、被設置部３の広さに応じた数の太陽電池ユニット１０をレール４に沿って並設する。この際、太陽電池モジュール１同士を電気的に接続するための配線は、レール４内に収納される。
【００４７】
こうして設置された太陽電池モジュール１に風が吹き付ける場合、図３に示されるように、例えば、太陽電池１２が向いた向いた南風Ｒが吹く場合では、風の流れａ、ｂ、ｃ、ｄの順に太陽電池モジュール１の外形形状に沿って近似しながら流れる。すなわち、風ｄは、太陽電池１２の取付面に当たり、この取付面から風圧軽減部材３０の上底３０Ａ、斜面３０Ｄに沿って流れる。
【００４８】
また、太陽電池モジュール１の後方から風が吹き付ける、すなわち、北風Ｌが吹く場合でも、風は流れＡ、Ｂ、Ｃ、Ｄの順に太陽電池モジュール１の外形形状に沿って流れる。すなわち、風Ｄは、風圧軽減部材３０の斜面３０Ｄに当たり、この斜面３０Ｄから上底３０Ａおよび太陽電池１２の取付面に沿って流れる。
従って、強風時などでも太陽電池モジュール１に加わる風圧が軽減される。
【００４９】
しかも、風圧軽減部材３０の上底３０Ａには、風切り音防止部材４０が取り付けられ、この稲妻形のジグザグ形状によって、風の流れが整えられるので、風切り音の発生を抑制できる。
【００５０】
このような第１実施形態によれば、以下のような効果が得られる。
（１）フレーム１１の垂直な背面１１Ｂに隣接して、台形の断面形状をなす風圧軽減部材３０を設けることによって、太陽電池モジュール１を下方に裾を広げた開脚台形の断面形状に形成できる。従って、太陽電池モジュール１の太陽電池１２が取り付けられた取付面（表面）側と同様に、裏面側も斜面３０Ｄとすることができ、これらの面に当たる風をその斜面に沿って流すことができ、太陽電池モジュール１に加わる風圧を軽減できる。
このため、過度の風圧がフレーム１１の側面（鉛直面１１Ｂ）に当たることで必要となっていた高い剛性や取付強度を軽減でき、その分の太陽電池モジュール１の重量や製造コストを低減できる。
また太陽電池モジュール１を軽量化できるため、例えば、建物の屋上に設置する際の作業性を向上できるとともに、屋根材の防水層を破損せずに太陽電池モジュール１を容易に設置できる。その上、太陽電池モジュール１を支持する構造も簡易にできる。
しかも、太陽電池モジュール１は、太陽電池１２を傾斜配置しているため、陸屋根や地面などの水平面にも設置でき、汎用性を広げることができる。
【００５１】
（２）風圧軽減部材３０を断面台形に形成したので、斜面３０Ｄから上底３０Ａに向かう角度変化を小さくすることができる。このため、斜面３０Ｄから上底３０Ａに沿って風Ｄが流れた際に、風の流れの乱れを抑えることができ、風切り音の発生を抑えることができる。同様に、太陽電池ユニット１０の太陽電池１２から上底３０Ａに沿って風ｄが流れた際も、風の流れの乱れを抑えることができ、風切り音の発生を抑えることができる
【００５２】
（３）その上、風圧軽減部材３０の上に風切り音防止部材４０を取り付けたので、太陽電池モジュール１に沿って流れる風Ｄ、ｄをより効果的に整流でき、風切り音の発生をより一層防止できる。
【００５３】
（４）さらに、風圧軽減部材３０は、断面台形状に形成すればよく、複雑な湾曲面などを形成する必要がないため、製造が容易でコストも低減できる。
【００５４】
（５）前記フレーム１１の断面形状を直角三角形として太陽電池１２を傾斜配置しているので、太陽電池１２に対して正面から太陽光線を入射させることができ、高い変換効率を得ることができる。しかも、斜面の面積はフレーム１１の他の面よりも大きいため、この斜面に太陽電池１２を取り付けることで、最大の受光面積が確保でき、より高い変換効率が得られる。
さらに、フレーム１１の設置面積を最小限に抑えることができるため、フレーム１１に隣接して風圧軽減部材３０を配置して太陽電池モジュール１を構成した場合でも、太陽電池モジュール１の設置面積を抑えることができる。
【００５５】
（６）風圧軽減部材３０を扉３６が設けられた中空体として内部空間３５に収納スペースを確保しているので、修理用の工具や掃除用具などを収納でき、風圧軽減部材３０の内部スペースを有効に活用できる。
【００５６】
（７）各太陽電池モジュール１はそれぞれ風圧軽減部材３０を備えているので、個々の各太陽電池モジュール１すべてに対する風圧を効果的に軽減することができる。
【００５７】
〔第２実施形態〕
図４には、本発明の第２実施形態である太陽電池モジュール１の設置構造が示されている。なお、以下の実施形態および変形例において、前記実施形態と同一もしくは同様の構成部材には、同一の符号を用い、説明を省略あるいは簡略する。
【００５８】
第２実施形態では、周囲（外郭部）６ｂよりも低くなった窪地６、つまり外郭部６ｂの高さレベルよりも低い底面６ａの窪地６に、太陽電池モジュール１が設けられている。
また、窪地６の深さ寸法は、太陽電池モジュール１の高さ寸法よりも大きくされ、窪地６内に設置された太陽電池モジュール１の最上部は、外郭部６ｂよりも低い高さレベルに位置するようにされている。なお、太陽電池モジュール１は、底面６ａ上に、レール４および脚５を介して設置されている。
【００５９】
この窪地６は、具体的には、道路の上下車線を隔つように設けられた中央分離帯や、高層マンションの敷地内に作られたドライエリア（空堀）および高層ビルディング間の敷地に設けられ周囲を壁体によって囲まれた植樹スペースなどに利用されるものである。
【００６０】
このような窪地６に風が吹く場合、太陽電池モジュール１の上方では、流れＥ，Ｆ、Ｇのように、早い風速で風が吹くが、太陽電池モジュール１は、窪地６の内部に納まっているので、風速は小さく、太陽電池モジュール１は微風Ｈ、もしくは、無風の状態に置かれる。従って、太陽電池モジュール１に加わる風圧を軽減できる。
この際、所定間隔で配置された各太陽電池モジュール１において、最も後方に配置された太陽電池モジュール１として、前記実施形態のような風圧軽減部材３０を有するものを用いてもよい。但し、風圧軽減部材３０が無くても、太陽電池モジュール１を窪地６内に配置することで十分に風圧を軽減できる。
【００６１】
このような第２実施形態では、第１実施形態で得られた効果（１）〜（５）と同様の作用効果を奏することができるとともに、以下の効果が得られる。
（８）太陽電池モジュール１の高さレベルを窪地Ａの周囲の高さレベル以下に抑える、すなわち、太陽電池モジュール１を完全に窪地６内部に納めてしまうことで、太陽電池モジュール１に加わる風圧を低減することができる。このため、風圧軽減部材３０を設ける必要もなく、コストを低減できるとともに、風圧軽減部材３０を不要にできる点で太陽電池モジュール１の設置面積も少なくできる。このため、限られたスペースに多くの太陽電池モジュール１を設置でき、発電量も増大できる。
【００６２】
（９）太陽電池モジュール１を窪地６に配置することで、太陽電池モジュール１が外部から視認されにくくなる。すなわち、窪地６が設けられた周辺の美観を損ねることなく周辺の景観に調和しながら太陽電池モジュール１を設置することができ、周辺の景観との調和性や景観設計（ランドプランニング）上の選択性および視認性を向上できるとともに、太陽電池モジュール１の利用度も向上できる。
【００６３】
なお、本発明は、前記実施形態に限定されるものではなく、本発明の目的を達成できる他の構成なども含み、以下に示すような変形なども本発明に含まれる。
【００６４】
前記第２実施形態では、窪地６の底面６ａの高さレベルは外郭部６ｂの高さレベルより低い位置にあり、しかも太陽電池モジュール１は完全に窪地６内部に納まっていた。しかし、これに限らず、図５に示されるように、太陽電池モジュール１の最上部の高さレベルが外郭部６ｂの高さレベルより高い位置にある、すなわち、太陽電池モジュール１が窪地６から突出する設置構造でも構わない。
この場合でも、太陽電池モジュール１の大部分は、外郭部６ｂで隠されているので、太陽電池モジュール１すべてが露出している場合に比べれば、太陽電池モジュール１に加わる風圧を軽減でき、かつ外観なども向上できる。
【００６５】
また、窪地６を形成するにあたっては、例えば、地面を掘って形成してもよいが、図６に示されるように、外郭部６ｂを形成することで設けてもよい。この場合、外郭部６ｂの外部に位置する周辺部６ｃと底面６ａの高さが略同じレベルになるが、太陽電池モジュール１が外郭部６ｂによって囲まれるため、風圧も軽減できる。
さらに、図７に示されるように、底面６ａの高さレベルが周辺部６ｃより高い位置にある窪地６に太陽電池モジュール１を設置してもよい。
【００６６】
また、前記各実施形態では、各太陽電池モジュール１は平行に配置されていたが、例えば、各太陽電池モジュール１の並び方を工夫することで、デザイン性を持たせたり、各種の記号、文字などを表現するようにしてもよい。この際、例えば、各太陽電池モジュール１にランプなどを適宜配置し、太陽電池１２で発電した電力でランプなどを点灯させることで、記号、文字等がより分かりやすくなるようにしてもよい。
さらに、太陽電池モジュール１を花時計内等に設け、その発電電力を時計の針駆動用電力の一部に利用してもよい。
【００６７】
また、学校や市庁舎などの公共施設の屋上に設けられる場合では、校章や標章（公共団体や企業等の商品のロゴ、マーク）などを表示することも可能となり、表示性や象徴性を向上できる。また、例えば、採石場の跡地や住宅造成地の未利用空間などにも利用可能である。
【００６８】
また、前記第１および第２実施形態でジョイント２０をレール４に固定するために止着具が利用されていたが、これを省略しても構わず、例えば、ジョイント２０とレール４の接合面に各々鉤型の係止片を設けても構わない。
【００６９】
第２実施形態の窪地６に設置される太陽電池モジュール１にも、前記風切り音防止部材４０を設けてもよい。
【００７０】
また、前記実施形態では、レール４を用いていたが、このレールを用いずに、太陽電池モジュール１を直接被設置面３上に載置してもよい。
さらに、レール４は、口型の角型鋼管に限らず、フランジを有するＨ型鋼やＣ型のチャンネル材でもよい。さらに、中空状のものに限らず中実状のものでもよい。
【００７１】
また、レール４内は配線スペースとして利用されていたが、配線は、別途設けられた敷設管の中を通して設けられてもよい。この場合、レール４とフレーム１１との接合箇所の開口部３２を省略してもよい。
【００７２】
前記実施形態では、ジョイント２０を用いて複数の太陽電池ユニット１０を連結していたが、ジョイント２０を用いずに、各太陽電池ユニット１０を独立して配置してもよい。
また、ジョイント２０の形状や材質は実施に応じて適宜選択すればよい。具体的には、形状では、帯状のものに限らず、棒状のものでも構わない。材質も、フレーム１１と同じ金属製のものに限らず、強化炭素繊維製のものや、合成樹脂製のものでも構わない。
【００７３】
また、フレーム１１の断面形状も直角二等辺三角形のものに限らない。すなわち、正三角形や台形のなどの多角形状のものでもよい。
【００７５】
前記第１実施形態では、すべての太陽電池モジュール１に風圧軽減部材３０を設けていたが、図８に示すように、最も後方に位置する太陽電池モジュール１のみに風圧軽減部材３０を設けてもよい。この場合でも、風圧軽減部材３０を設けていない太陽電池モジュール１は、隣接する他の太陽電池モジュール１が風よけになるため、各々の太陽電池モジュール１に対する風圧を軽減できる。
このため、前記風圧軽減部材３０の設置数を少なくでき、コストを低減できるとともに、一定面積における太陽電池の設置面積を増大できるため、太陽電池モジュールの設置面積に対する発電量も増大できる。
【００７６】
また、前記風圧軽減部材３０としては、扉３６や内部空間３５を設けないものを用いてもよい。
【００７７】
太陽電池モジュール１が取り付けられる被設置部３は、一般住宅や共同住宅の屋根に限らない。すなわち、高層建築物の屋上、高速道路のサービスエリアの施設建物や鉄道の駅舎、長大橋梁やダムの天端、工場屋根や空き地、公園の四阿やオブジェなどでも構わない。この場合、太陽電池モジュール１は、複数の太陽電池ユニット１０を連結したものの他に、太陽電池ユニット１０を１基単独で設置したもの、つまりジョイント２０やレール４を含まないものでもよい。
【００７８】
【発明の効果】
以上述べたように、本発明の太陽電池モジュールおよび太陽電池モジュールの設置構造によれば、陸屋根などの水平面にも設置することができ、かつ太陽電池モジュールに加わる風圧を軽減できるという効果がある。
【図面の簡単な説明】
【図１】本発明の第１実施形態における太陽電池モジュールを示す斜視図である。
【図２】前記第１実施形態における太陽電池モジュールの縦断面図である。
【図３】前記第１実施形態における風の流況を示す模式図である。
【図４】本発明の第２実施形態における太陽電池モジュールの設置構造を示す概略図である。
【図５】本発明の変形例における太陽電池モジュールの設置構造を示す概略図である。
【図６】他の変形例における太陽電池モジュールの設置構造を示す概略図である。
【図７】他の変形例における太陽電池モジュールの設置構造を示す概略図である。
【図８】他の変形例における太陽電池モジュールの設置構造を示す概略図である。
【符号の説明】
１  太陽電池モジュール
３  被設置部
６  窪地
６ａ  底面
６ｂ  周囲（外郭部）
４  レール
５  脚
１０  太陽電池ユニット
１１  フレーム
１２  太陽電池
２０  ジョイント
３０  風圧軽減部材
４０  風切り音防止部材
Ａ，Ｂ，Ｃ，Ｄ、Ｅ，Ｆ，Ｇ，Ｈ  風の流れ
ａ，ｂ，ｃ，ｄ  風の流れ
【図１】
0004712141.tif 000002
【図２】
0004712141.tif 000003
【図３】
0004712141.tif 000004
【図４】
0004712141.tif 000005
【図５】
0004712141.tif 000006
【図６】
0004712141.tif 000007
【図７】
0004712141.tif 000008
【図８】
0004712141.tif 000009